(57)【要約】【課題】ハウジングの大きさがイヤーパッドの大きさに依存せず、ハウジングを設計する際の自由度を高めることが可能な、新規かつ改良された技術を提供する。【解決手段】ヘッドホン１は、電気信号を音波に変換して出力するドライバユニットを有するハウジング４と、内周部９ａから外周部９ｂにかけて厚みを有する略円環状をなすクッション部９と、クッション部９を覆い、ユーザによる装着時においてユーザの側頭部に接触する面である一端面に縫製もしくは溶着による合わせ部分が形成され、一端面とは反対側の他端面のうち、クッション部９の内周側に取り付け穴１０ｂが形成された表皮部１０と、クッション部９と表皮部１０との間に挟み込まれるホルダ部８と、取り付け穴１０ｂを通して、ハウジング４の前面板６とホルダ部８とを取り付ける取り付け部７とを備える。【選択図】図３
2010062732.tif 000002
【特許請求の範囲】
【請求項１】
電気信号を音波に変換して出力するドライバユニットを有するハウジングと、
内周部から外周部にかけて厚みを有する略円環状をなすクッション部と、
前記クッション部を覆い、ユーザによる装着時において当該ユーザの側頭部に接触する面である一端面に縫製もしくは溶着による合わせ部分が形成され、前記一端面とは反対側の他端面のうち、内周側に取り付け穴が形成された表皮部と、
前記クッション部と前記表皮部との間に挟み込まれるホルダ部と、
前記取り付け穴を通して、前記ハウジングの前面板と前記ホルダ部とを取り付ける取り付け部と、
を備えるヘッドホン。
【請求項２】
前記内周側は、
前記外周部からの距離よりも前記内周部からの距離のほうが近い位置である、
請求項１に記載のヘッドホン。
【請求項３】
前記取り付け部は、
取り付け用のツメ、バヨネット方式による取り付け部材、取り付け用のネジ、取り付け用のマグネット、溶着による取り付け部分のうち、少なくとも１つを含んで構成される、
請求項１に記載のヘッドホン。
【請求項４】
前記取り付け部は、
前記ホルダ部に形成された取り付け用のツメによって構成され、
前記ホルダ部に押し込み防止用の肩が形成されている、
請求項１に記載のヘッドホン。
【請求項５】
前記表皮部に前記表皮部よりも硬いシートが溶着されており、
前記取り付け穴は、
前記シートに形成されている、
請求項１に記載のヘッドホン。
【請求項６】
前記表皮部は、
前記一端面全体を覆う袋状に構成されている、
請求項１に記載のヘッドホン。
【請求項７】
前記ドライバユニットは、
前記一端面よりも前記他端面に近い位置に配設される、
請求項１に記載のヘッドホン。
【発明の詳細な説明】
【技術分野】
【０００１】
本発明は、ヘッドホンに関する。詳しくは、ヘッドホンのイヤーパッドをハウジングの前面板に取り付ける技術に関する。
【背景技術】
【０００２】
従来、ユーザの頭部に装着され、耳に近接するスピーカを用いて、再生装置や受信機等から出力された電気信号を音波に変換する装置としてヘッドホンが開示されている（例えば、特許文献１参照）。
【０００３】
特許文献１に開示されたヘッドホンは、内部にスピーカユニットを有するハウジングと、そのハウジングの内面側に取り付けられ、柔軟性に富んだイヤーパッドとを備えて構成されている。ハウジングは、外形が略ドーム状を為す外殻部とその外殻部の一端側に設けられた円板状の取り付け部とから成り、外殻部と取り付け部との間に、周方向に伸びる取り付け溝が形成されている。
【０００４】
イヤーパッドは、例えば、ウレタン系の柔軟性に富むクッション部の一部が、例えば、合成皮革や布材料等によって形成された表皮部によって覆われて成り、ハウジングの取り付け部に取り付けられる。表皮部は、覆い部と被取り付け部とが縫合されて成る。
【０００５】
覆い部は、外形が円形状の浅い容器状を為している。被取り付け部は、リング状の周面部と該周面部の一端から内方へ突出されたフランジ状の挿入部とから成り、周面部の他端部が覆い部の開口縁部と縫合されている。縫合の合わせ部分はハウジングに近い箇所に作成され、その合わせ部分の返しの生地が挿入部となる。
【０００６】
クッション部を表皮部内に挿入した状態において、表皮部の挿入部をハウジングの取り付け溝内に挿入して、イヤーパッドをハウジングに取り付ける。この場合に、一定以上の取り付け強度を確保するために、挿入部における取り付け溝に挿入される部分を一定量以上確保しなければならない。また、挿入部を取り付け溝から取り出すことにより、ハウジングからイヤーパッドを取り外すことができる。
【０００７】
【特許文献１】特開２００１−１９７５８１号公報
【発明の開示】
【発明が解決しようとする課題】
【０００８】
しかしながら、特許文献１に開示された技術によれば、イヤーパッドを大きくするに従って、ハウジングも大きくなってしまい、ハウジングを設計する際の自由度が小さいという問題がある。
【０００９】
本発明は、上記問題に鑑みてなされたものであり、本発明の目的とするところは、ハウジングの大きさがイヤーパッドの大きさに依存せず、ハウジングを設計する際の自由度を高めることが可能な、新規かつ改良された技術を提供することにある。
【課題を解決するための手段】
【００１０】
上記目的を達成するために、本発明のある観点によれば、電気信号を音波に変換して出力するドライバユニットを有するハウジングと、内周部から外周部にかけて厚みを有する略円環状をなすクッション部と、クッション部を覆い、ユーザによる装着時においてユーザの側頭部に接触する面である一端面に縫製もしくは溶着による合わせ部分が形成され、一端面とは反対側の他端面のうち、内周側に取り付け穴が形成された表皮部と、クッション部と表皮部との間に挟み込まれるホルダ部と、取り付け穴を通して、ハウジングの前面板とホルダ部とを取り付ける取り付け部と、を備えるヘッドホンが提供される。
【００１１】
上記した内周側は、外周部からの距離よりも内周部からの距離のほうが近い位置であることとすることとしてもよい。
【００１２】
上記した取り付け部は、取り付け用のツメ、バヨネット方式による取り付け部材、取り付け用のネジ、取り付け用のマグネット、溶着による取り付け部分のうち、少なくとも１つを含んで構成される構成されることとしてもよい。
【００１３】
上記した取り付け部は、ホルダ部に形成された取り付け用のツメによって構成され、ホルダ部に押し込み防止用の肩が形成されていることとしてもよい。
【００１４】
上記した表皮部に表皮部よりも硬いシートが溶着されており、取り付け穴は、シートに形成されていることとしてもよい。
【００１５】
上記した表皮部は、一端面全体を覆う袋状に構成されていることとしてもよい。
【００１６】
上記したドライバユニットは、一端面よりも他端面に近い位置に配設されることとしてもよい。
【発明の効果】
【００１７】
本発明によれば、ハウジングの大きさがイヤーパッドの大きさに依存せず、ハウジングを設計する際の自由度を高めることが可能となる。
【発明を実施するための最良の形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。なお、説明は以下の順序で行う。
【００１９】
１．    一般的なヘッドホンの概要
２．    本実施形態に係るヘッドホンの概要
３．    本実施形態に係るヘッドホン本体の構成
４．    本実施形態に係るイヤーパッドの構成
５．    本実施形態に係るイヤーパッドの前面板への取り付け
６．    本実施形態の変形例
７．    本実施形態に係るヘッドホンの装着
８．    本実施形態による効果
【００２０】
一般的なヘッドホンの概要］
図１は、一般的なヘッドホンの概略正面図である。図１を参照して、一般的なヘッドホンの概要について説明する。
【００２１】
図１に示すように、一般的なヘッドホン９０は、一対のヘッドホン本体９２、９２と、ヘッドバンド９３とを備えている。ヘッドホン本体９２、９２は、それぞれハウジング９４と、ハウジング９４の内面側に取り付けられた柔軟性に富むイヤーパッド９５とを有している。ここで、内面側は、ユーザによるヘッドホン９０の装着時においてユーザの側頭部に近い側を意味し、外面側は内面側と反対側であってユーザの側頭部から遠い側を意味するものとする。
【００２２】
ヘッドバンド９３は、上方に凸になるように湾曲され、可撓性および弾性を有し、両端部が互いに近づく方向に対する弾発力を有するバネ部材として設けられている。
【００２３】
ハウジング９４は、電気信号を音波に変換して出力するドライバユニット（不図示）を内部に有する。ハウジング９４の内面側には、周方向に伸びる取り付け溝９４ａが形成されている。
【００２４】
イヤーパッド９５は、柔軟性に富むクッション部（不図示）の一部が、表皮部１００によって覆われてなる。表皮部１００は、覆い部１１１と、被取り付け部１１２との境目が縫合されてなる。被取り付け部１１２は、フランジ状の挿入部１１２ａを有し、挿入部１１２ａをハウジング９４の取り付け溝９４ａに挿入することによって、イヤーパッド９５をハウジング９４に取り付けることが可能にされている。また、挿入部１１２ａを取り付け溝９４ａから取り出すことによって、ハウジング９４からイヤーパッド９５を取り出すことが可能にされている。
【００２５】
本実施形態に係るヘッドホンの概要］
図２は、本実施形態に係るヘッドホンの概略正面図である。図２を参照して、本実施形態に係るヘッドホンの概要について説明する。
【００２６】
図２に示すように、本実施形態に係るヘッドホン１は、一対のヘッドホン本体２、２と、ヘッドバンド３とを備えている。ヘッドホン本体２、２は、それぞれハウジング４と、ハウジング４の内面側に取り付けられた柔軟性に富むイヤーパッド５とを有している。ここで、内面側は、ユーザによるヘッドホン１の装着時においてユーザの側頭部に接触する面である一端面を意味し、外面側は内面側と反対側であってユーザの側頭部から遠い側を意味するものとする。
【００２７】
ヘッドバンド３は、上方に凸になるように湾曲され、可撓性および弾性を有し、両端部が互いに近づく方向に対する弾発力を有するバネ部材として設けられている。
【００２８】
ハウジング４は、電気信号を音波に変換して出力するドライバユニット（不図示）を内部に有する。なお、本実施形態においては、ドライバユニット（不図示）が組み込まれた前面板６がハウジング４に取り付けられることとするが、ドライバユニット（不図示）は、ハウジング４に直接組み込まれることとしてもよい。
【００２９】
イヤーパッド５は、柔軟性に富むクッション部９（図３参照）の全部または一部が、表皮部１０によって覆われてなる。表皮部１０は、人体接触部１１と、覆い部１２との境目が縫合されてなる。人体接触部１１の外側部分と覆い部１２の内側部分とで重なる部分に縫製の合わせ部分が形成されている。イヤーパッド５は、ハウジング４に取り付けることが可能にされており、ハウジング４から取り出すことが可能にされている。
【００３０】
本実施形態に係るヘッドホン本体の構成］
図３は、本実施形態に係るハウジングおよびイヤーパッドの分解斜視図である。図３を参照して、本実施形態に係るハウジングおよびイヤーパッドの構成について説明する。
【００３１】
図３に示すように、クッション部９は、内周部９ａから外周部９ｂにかけて厚みを有する略円環状（ドーナツ状）をなすものである。クッション部９は、例えば、ウレタン系の柔軟性に富む素材によって構成されている。
【００３２】
表皮部１０は、挿脱用開口１０ａと取り付け穴１０ｂとを有している。表皮部１０は、例えば、合成皮革や布材料等によって構成されている。
【００３３】
挿脱用開口１０ａは、表皮部１０の外面側方向（図２参照）に形成されており、挿脱用開口１０ａからクッション部９を挿入することが可能である。また、挿脱用開口１０ａからクッション部９を取り出すことが可能である。
【００３４】
取り付け穴１０ｂは、表皮部１０の外面側方向（図２参照）に形成されており、クッション部９が表皮部１０に挿入されている状態におけるクッション部９自体の内周側に形成されている。ここでいう内周側とは、外周部９ｂからの距離よりも内周部９ａからの距離のほうが近い位置を表すものであり、例えば、取り付け穴１０ｂは、内周部９ａからの距離が１ｃｍ以内の位置に設置されるものである。取り付け穴１０ｂは、表皮部１０に直接空けられるように設置されることとしてもよい。また、表皮部１０よりも硬い（強度の高い）シート（ポリウレタン系、ゴム系の伸縮素材）に取り付け穴１０ｂが直接空けられ、そのシートが表皮部１０に溶着されることとしてもよい。これによれば、取り付け穴１０ｂ付近の強度を高めることができる。図３に示した例では、取り付け穴１０ｂが３つ形成されているが、３つに限定されずに取り付け穴１０ｂはいくつ形成されることとしてもよい。
【００３５】
取り付けプラグ４１は、ハウジング４の一部を覆うように被せられ、ハウジング４の保護、美観性の向上等に使用される。
【００３６】
前面板６は、ネジ６１等（例えば、ビス等）によってハウジング４に取り付けられるものである。前面板６には、ドライバユニット（不図示）が組み込まれている。
【００３７】
ホルダ部８は、挿脱用開口１０ａからクッション部９が挿入された状態でクッション部９と表皮部１０との間に挟み込まれるものである。ホルダ部８は、例えば、表皮部１０よりも強度の高い樹脂等によって構成される。
【００３８】
取り付け部７は、取り付け穴１０ｂを通して、ハウジング４の前面板６とホルダ部８とを取り付けるものである。図３に示した例では、取り付け部７は、ホルダ部８に形成されたツメによって構成されることとしている。この場合には、ホルダ部８に形成されたツメが取り付けられるための穴（不図示）が前面板６に形成される。また、取り付け部７は、ドライバユニットが取り付けられた前面板６に形成されたツメによって構成されることとしてもよい。この場合には、前面板６に形成されたツメが取り付けられるための穴（不図示）がホルダ部８に形成される。
【００３９】
図３に示した例では、取り付け部７は、ツメによって構成されることとしているが、これに限定されない。例えば、取り付け部７は、取り付け用のツメ、バヨネット方式による取り付け部材、取り付け用のネジ、取り付け用のマグネット、溶着による取り付け部分のうち、少なくとも１つを含んで構成されることとしてもよい。また、取り付け用のネジ（ビス等）が、ハウジング４側からクッション部９側に向けて差し込まれ、止められる構造とすることも可能である。
【００４０】
また、図３に示した例では、取り付け部７は、取り付け穴１０ｂの個数（３つ）と同数だけ形成されているが、取り付け部７はいくつ形成されることとしてもよい。
【００４１】
このように、取り付け部７は取り付け穴１０ｂの位置に固定されることになるので、取り付け穴１０ｂの位置によってハウジング４に対するイヤーパッド５の相対位置が固定される。したがって、取り付け穴１０ｂは、イヤーパッド５の位置決めも兼ねる構造となっている。
【００４２】
本実施形態に係るイヤーパッドの構成］
図４は、本実施形態に係るイヤーパッドの斜視図である。図４を参照して、本実施形態に係るイヤーパッドの構成について説明する。
【００４３】
図４に示すように、表皮部１０にクッション部９が挿入されている。表皮部１０にクッション部９が挿入された状態でクッション部９と表皮部１０との間にホルダ部８が挟み込まれている。取り付け部７は、取り付け穴１０ｂを通して、前面板６とホルダ部８とを取り付けることが可能にされている。
【００４４】
本実施形態に係るイヤーパッドの前面板への取り付け］
図５は、図４に示したＩ線に沿った断面図である。図５を参照して、本実施形態に係るイヤーパッドの前面板への取り付けについて説明する。
【００４５】
図５に示すように、イヤーパッド５が、前面板６に取り付けられている。表皮部１０は、例えば、人体接触部１１が内面側全体を覆う袋状に構成することが可能である。この場合、ハウジング４が有するドライバユニットから出力される音波がユーザの耳に届くように、人体接触部１１は、通気性のあるメッシュ素材により構成されることとすればよい。また、人体接触部１１に１または複数の穴が空けられている構成とすることも可能である。その場合には、人体接触部１１に接触する位置であり、かつ、ハウジング４側の位置に、ゴミ入り防止用のスクリーンシートを配設することとすることができる。人体接触部１１と覆い部１２とが縫合もしくは溶着されることで、縫製もしくは溶着による合わせ部分１３が形成されている。
【００４６】
図６は、図５に示したＡの拡大図である。図６を参照して、本実施形態に係るイヤーパッドの前面板への取り付けの詳細について説明する。
【００４７】
図６に示すように、取り付け部７が、表皮部１０の取り付け穴１０ｂを通して、ハウジング４の前面板６とホルダ部８とを取り付けている。図６に示したように、取り付け部７がツメで構成されている場合、取り付け部７が前面板６に引っ掛かり、外れないようにされている。
【００４８】
本実施形態の変形例］
図７は、本実施形態の変形例を示す図である。図７を参照して、本実施形態の変形例について説明する。
【００４９】
図７に示すように、取り付け部７がホルダ部８に形成されたツメによって構成される場合に、押し込み防止用の肩７１がホルダ部８に形成された構成とすることができる。図７に示したように、肩７１は、例えば、取り付け部７としてのツメ下部の両端に設けられることとすることができる。また、肩７１は、取り付け部７としてのツメと一体でなくてもよく、別途突起が設けられることによって構成されることとしてもよい。
【００５０】
図８は、図７に示したＩＩ線に沿った断面図である。図８を参照して、本実施形態の変形例の詳細について説明する。
【００５１】
図８に示すように、取り付け部７が前面板６に引っ掛かり、外れないようにされている。また、肩７１が、前面板６と突き当たる。肩７１および前面板６が、ともに硬い樹脂等によって構成される場合には、取り付け部７がハウジング４側に押し込まれることを防止することが可能となる。取り付け部７および肩７１が形成されたホルダ部８の安定性が増し、イヤーパッド５を前面板６に取付ける際の安定性を高めることが可能となる。
【００５２】
また、ヘッドホン１は、ネックバンドタイプ、それ以外のあらゆる装着タイプのヘッドホンに応用可能である。
【００５３】
本実施形態に係るヘッドホンの装着］
図９は、本実施形態に係るヘッドホンの装着時の様子を示す図である。図９を参照して、本実施形態に係るヘッドホンの装着時の様子について説明する。
【００５４】
図９は、特に、ヘッドホン１がユーザの左耳に装着されている様子を、ユーザの顔を正面として示したものである。図９に示すように、ハウジング４の大きさがイヤーパッド５の大きさに依存せず、ハウジング４の半径を小さくすることができる。また、縫製の合わせ部分１３を、ユーザによるヘッドホン９０の装着時においてユーザの側頭部に接触する面に形成することによって、稜線５１（縫製の合わせ部分１３の外側部分）をはっきりさせることができる。
【００５５】
図９に示したように、ドライバユニット４２は、例えば、一端面（ユーザによるヘッドホン１の装着時においてユーザの側頭部に接触する面）よりも他端面（一端面とは反対側の面）に近い位置に配設されることとすることができる。
【００５６】
［８．本実施形態による効果］
本実施形態によれば、下記に示す効果が得られる。
【００５７】
縫製の合わせ部分を、ユーザによるヘッドホン９０の装着時においてユーザの側頭部に接触する面に形成することによって、稜線５１をはっきりさせることができ、耳介２０のイヤーパッド５による密閉度を高めることができる。特に、重低音に対する音漏れを防止することができる。
【００５８】
イヤーパッド５をハウジング４の外径に影響されず設定できるため、ハウジング４の外径よりも大きな（または小さな）イヤーパッド５をつけることができ、意匠（ハウジング４の設計）の自由度が増す。イヤーパッド５を大きくするためにヘッドホン本体２のハウジング４を大きくする必要がないので軽量化が可能である。
【００５９】
イヤーパッド５をハウジング４の外径よりも大きくすることで、ユーザがヘッドホン１を装着した際に、イヤーパッド５がハウジング４の支え面より外側に膨らむこととなる。これによって、耳介２０の外周（もっとも立っている部分）に対する負荷を軽減し、耳乗せタイプのヘッドホン１であっても柔らかな装着感を得ることができる。イヤーパッド５の外周をハウジング４の外径より大きくできるので、イヤーパッド５内部のウレタンフォームの幅（外周と内周の差）も大きくできる。このため、ウレタンフォームを厚くすることが可能となる。ウレタンフォームの幅が小さいと、ウレタンフォームを厚くすることで変形しやすく、形状を維持できない。
【００６０】
イヤーパッド５にウレタンフォーム及びホルダ部８を組んだ状態（図４に示した状態）をイヤークッションＡＳＳＹとし、イヤークッションＡＳＳＹの前面板６に対する取り付けがツメ等の取り付け部７によって可能となる。これによって、クッション部９や表皮部１０の付け替えの際の取り付け・取り外しが容易になる。
【００６１】
一般的なヘッドホン９０と比較して、本実施形態に係るヘッドホン１の前面板６に対する取り付け強度が増す。一般的なヘッドホン９０では、イヤーパッド９５に対して１ｋｇｆ（＝９．８Ｎ）以下の力で引っ張るとハウジング９４から外れることが本願の出願人らによって確認できた。それに対し、本実施形態に係るヘッドホン１では、イヤーパッド５に対して３ｋｇｆ（＝２９．４Ｎ）の力を加えて引っ張ってもハウジング４から外れないことが本願の出願人らによって確認できた。
【００６２】
上記では、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６３】
【図１】一般的なヘッドホンの概略正面図である。
【図２】本実施形態に係るヘッドホンの概略正面図である。
【図３】本実施形態に係るハウジングおよびイヤーパッドの分解斜視図である。
【図４】本実施形態に係るイヤーパッドの斜視図である。
【図５】図４に示したＩ線に沿った断面図である。
【図６】図５に示したＡの拡大図である。
【図７】本実施形態の変形例を示す図である。
【図８】図７に示したＩＩ線に沿った断面図である。
【図９】本実施形態に係るヘッドホンの装着時の様子を示す図である。
【符号の説明】
【００６４】
１      ヘッドホン
２      ヘッドホン本体
３      ヘッドバンド
４      ハウジング
５      イヤーパッド
６      前面板
７      取り付け部
８      ホルダ部
９      クッション部
９ａ    内周部
９ｂ    外周部
１０    表皮部
１０ａ  挿脱用開口
１０ｂ  取り付け穴
１１    人体接触部
１２    覆い部
１３    縫製の合わせ部分
２０    耳介
４１    取り付けプラグ
４２    ドライバユニット
５１    稜線
６１    ネジ
７１    肩
【図１】
2010062732.tif 000003
【図２】
2010062732.tif 000004
【図３】
2010062732.tif 000005
【図４】
2010062732.tif 000006
【図５】
2010062732.tif 000007
【図６】
2010062732.tif 000008
【図７】
2010062732.tif 000009
【図８】
2010062732.tif 000010
【図９】
2010062732.tif 000011